(57)【要約】【課題】録画媒体の録画可能時間が録画番組時間よりも少ない場合にも録画番組全ての録画を行うことを可能とし、また、録画予約した番組が急に時間変更になっても予約番組の変更時間に合わせた番組録画を行うことを可能とする。【解決手段】ユーザ１はリモートコントロール機１１で録画機２１に録画予約する。インターネット接続機２０は録画番組時間を含む録画予約情報と録画媒体２４２の録画可能時間とを録画機２１から取得して録画サーバ３０に送信する。録画サーバ３０は録画可能時間が録画番組時間以上であった場合はインターネット接続機２０に録画指示を送信し、録画可能時間が録画番組時間未満であった場合は録画予約された番組を代行録画部３４０で代行録画する。代行録画した場合は、ユーザ１は録画媒体２４２を交換し、インターネット接続機２０で録画サーバ３０に代行録画データの送信を依頼する。【選択図】      図１
2004179993.tif 000002
【特許請求の範囲】
【請求項１】
録画サーバと、インターネット接続機と、前記インターネット接続機に接続された録画機と、前記インターネット接続機と前記録画サーバとを接続するネットワークとを備え、前記インターネット接続機は、録画可能時間を含む録画媒体情報と録画番組時間を含む録画予約情報とを前記録画機から取得して前記録画サーバに送信する手段を含み、前記録画サーバは、前記録画可能時間が前記録画番組時間未満であった場合は録画予約された番組を代行録画する手段と、代行録画した録画データを前記インターネット接続機に送信する手段とを含むことを特徴とする録画サービスシステム。
【請求項２】
さらに、前記ネットワークに接続された携帯端末を備え、前記携帯端末は、前記録画予約情報を前記録画サーバから受信して表示する手段を含むことを特徴とする請求項１記載の録画サービスシステム。
【請求項３】
携帯端末と、録画サーバと、インターネット接続機と、前記インターネット接続機に接続された録画機と、前記携帯端末と前記インターネット接続機と前記録画サーバとを接続するネットワークとを備え、前記携帯端末は、録画番組時間を含む録画予約情報を前記録画サーバに送信する手段を含み、前記インターネット接続機は、録画可能時間を含む録画媒体情報を前記録画機から取得して前記録画サーバに送信する手段を含み、前記録画サーバは、前記録画可能時間の送信を前記インターネット接続機に要求する手段と、前記録画可能時間が前記録画番組時間未満であった場合は録画予約された番組を代行録画する手段と、代行録画した録画データを前記インターネット接続機に送信する手段とを含むことを特徴とする録画サービスシステム。
【請求項４】
さらに、前記ネットワークに接続されたレンタルサーバを備え、前記携帯端末は、レンタルソフトのレンタル要求を前記レンタルサーバに送信する手段を含み、前記レンタルサーバは、要求されたレンタルソフトとこのレンタルソフトの録画時間とを前記録画サーバに送信する手段を含み、前記録画サーバは、前記録画可能時間が前記レンタルソフトの録画時間以上であった場合は前記レンタルソフトを前記インターネット接続機へ送信し前記録画可能時間が前記レンタルソフトの録画時間未満であった場合は前記レンタルソフトを代行録画する手段と、代行録画した録画データを前記インターネット接続機に送信する手段とを含むことを特徴とする請求項２または３記載の録画サービスシステム。
【請求項５】
さらに、前記ネットワークに接続された放送局サーバを備え、前記放送局サーバは、番組放送時刻を含む番組表を前記録画サーバに配信する手段と、配信した番組放送時刻に変更が生じた場合に番組時刻変更通知を前記録画サーバに通知する手段とを含み、前記録画サーバは、前記番組変更通知をチェックして前記録画予約情報を修正する手段を含むことを特徴とする請求項１、２、３または４記載の録画サービスシステム。
【請求項６】
録画サーバと、インターネット接続機と、前記インターネット接続機に接続された録画機と、前記インターネット接続機と前記録画サーバとを接続するネットワークとを使用する録画サービス方法であって、前記インターネット接続機が録画可能時間を含む録画媒体情報と録画番組時間を含む録画予約情報とを前記録画機から取得して前記録画サーバに送信するステップと、前記録画サーバが前記録画可能時間が前記録画番組時間未満であった場合は録画予約された番組を代行録画するステップと、代行録画した録画データを前記録画サーバから前記インターネット接続機に送信するステップとを含むことを特徴とする録画サービス方法。
【請求項７】
さらに、前記ネットワークに接続された携帯端末を使用し、前記携帯端末が前記録画予約情報を前記録画サーバから受信して表示するステップを含むことを特徴とする請求項６記載の録画サービス方法。
【請求項８】
携帯端末と、録画サーバと、インターネット接続機と、前記インターネット接続機に接続された録画機と、前記携帯端末と前記インターネット接続機と前記録画サーバとを接続するネットワークとを使用する録画サービス方法であって、前記携帯端末が録画番組時間を含む録画予約情報を前記録画サーバに送信するステップと、前記録画サーバが前記録画機の録画可能時間の送信を前記インターネット接続機に要求するステップと、前記インターネット接続機が前記録画可能時間を含む録画媒体情報を前記録画機から取得して前記録画サーバに送信するステップと、前記録画可能時間が前記録画番組時間未満であった場合は録画予約された番組を前記録画サーバが代行録画するステップと、代行録画した録画データを前記録画サーバから前記インターネット接続機に送信するステップとを含むことを特徴とする録画サービス方法。
【請求項９】
さらに、前記ネットワークに接続されたレンタルサーバを使用し、レンタルソフトのレンタル要求を前記携帯端末から前記レンタルサーバに送信するステップと、要求されたレンタルソフトとこのレンタルソフトの録画時間とを前記レンタルサーバから前記録画サーバに送信するステップと、前記録画サーバが前記録画可能時間が前記レンタルソフトの録画時間以上であった場合は前記レンタルソフトを前記インターネット接続機へ送信し前記録画可能時間が前記レンタルソフトの録画時間未満であった場合は前記レンタルソフトを代行録画するステップと、代行録画した録画データを前記録画サーバから前記インターネット接続機に送信するステップとを含むことを特徴とする請求項７または８記載の録画サービス方法。
【請求項１０】
さらに、前記ネットワークに接続された放送局サーバを使用し、番組放送時刻を含む番組表を前記放送局サーバから前記録画サーバに配信するステップと、配信した番組放送時刻に変更が生じた場合に番組時刻変更通知を前記放送局サーバから前記録画サーバに通知するステップと、前記録画サーバが前記番組変更通知をチェックして前記録画予約情報を修正するステップとを含むことを特徴とする請求項６、７、８または９記載の録画サービス方法。
【請求項１１】
録画機に接続されたインターネット接続機にネットワークを介して接続された録画サーバであって、録画可能時間を含む録画媒体情報と録画番組時間を含む録画予約情報とを前記インターネット接続機を経由して前記録画機から取得する手段と、前記録画可能時間が前記録画番組時間未満であった場合は録画予約された番組を代行録画する手段と、代行録画した録画データを前記インターネット接続機に送信する手段とを含むことを特徴とする録画サーバ。
【請求項１２】
さらに、前記ネットワークに接続された携帯端末から前記録画予約情報送信要求を受信する手段と、前記録画予約情報を前記携帯端末に送信する手段とを含むことを特徴とする請求項１１記載の録画サーバ。
【請求項１３】
インターネット接続機と携帯端末とにネットワークを介して接続された録画サーバであって、前記携帯端末から録画番組時間を含む録画予約情報を受信する手段と、前記インターネット接続機に接続された録画機の録画可能時間を含む録画媒体情報を前記インターネット接続機から受信する手段と、前記録画可能時間が前記録画番組時間未満であった場合は録画予約された番組を代行録画する手段と、代行録画した録画データを前記インターネット接続機に送信する手段とを含むことを特徴とする録画サーバ。
【請求項１４】
さらに、前記ネットワークを介してレンタルサーバに接続され、レンタルソフトのレンタル要求を前記携帯端末から受信する手段と、要求されたレンタルソフトとこのレンタルソフトの録画時間とを前記レンタルサーバから受信する手段と、前記録画可能時間が前記レンタルソフトの録画時間以上であった場合は前記レンタルソフトを前記インターネット接続機へ送信し前記録画可能時間が前記レンタルソフトの録画時間未満であった場合は前記レンタルソフトを代行録画する手段と、代行録画した録画データを前記インターネット接続機に送信する手段とを含むことを特徴とする請求項１２または１３記載の録画サーバ。
【請求項１５】
さらに、前記ネットワークを介して放送局サーバに接続され、番組放送時刻を含む番組表の配信を前記放送局サーバから受ける手段と、配信された番組放送時刻に変更が生じた場合に番組時刻変更通知を前記放送局サーバから受信する手段と、前記番組時刻変更通知をチェックして前記録画予約情報を修正する手段とを含むことを特徴とする請求項１１、１２、１３または１４記載の録画サーバ。
【請求項１６】
請求項１１から１５のいずれか１項記載の機能をコンピュータに実現させるためのプログラム。
【発明の詳細な説明】
【０００１】
【発明の属する技術分野】
本発明は録画サービスシステム、録画サービス方法、録画サーバおよび録画サービス用プログラムに関し、特に録画機とネットワークとを使用して行う録画サービスシステム、録画サービス方法、録画サーバおよび録画サービス用プログラムに関する。
【０００２】
【従来の技術】
従来の録画システムを図６を参照して説明する。図６において、ユーザ６０１は録画機６２１の近傍にてＧコード（登録商標）送信機６１１またはリモートコントロール機６１２を使用し、ホーム６０２に設置された録画機６２１に録画予約情報を送信することで録画機６２１を録画待機状態にし、録画希望の番組を録画していた。しかしながら、このような録画システムにおいては、ユーザが外出先から録画予約することができない。
【０００３】
ユーザが外出先から録画予約できる録画サービスシステムが特開２００１−３０９２８５号公報に開示されている。この公報によれば、少なくとも放送番組情報と顧客情報とが蓄積されているネットワーク上の番組情報サーバと、この番組情報サーバをアクセスして所定の放送番組を予約する機能を備えた録画機器と、番組情報サーバをアクセスして放送番組情報を閲覧しかつ所望の放送番組を選択することができる情報端末機器とからなり、番組情報サーバは、録画機機に対して情報端末機器が選択した放送番組の録画予約設定を行うようにする。
【０００４】
【特許文献１】
特開２００１−３０９２８５号公報（第４−５頁、図１）
【０００５】
【発明が解決しようとする課題】
上述した従来の録画サービスシステムは、録画媒体の録画可能時間が録画番組時間よりも少なかった場合、録画番組全ての録画ができないという問題点があった。また、ユーザの録画予約した番組が急に時間変更になった場合、予約番組の変更時間に合わせた番組録画ができないという問題点があった。
【０００６】
本発明の目的は、録画媒体の録画可能時間が録画番組時間よりも少なかった場合にも録画番組全ての録画を行うことを可能とし、また、録画予約した番組が急に時間変更になった場合にも予約番組の変更時間に合わせた番組録画を行うことを可能とする録画サービスシステム、録画サービス方法、録画サーバおよび録画サービス用プログラムを提供することにある。
【０００７】
【課題を解決するための手段】
本発明の録画サービスシステムは、録画サーバと、インターネット接続機と、前記インターネット接続機に接続された録画機と、前記インターネット接続機と前記録画サーバとを接続するネットワークとを備え、前記インターネット接続機は、録画可能時間を含む録画媒体情報と録画番組時間を含む録画予約情報とを前記録画機から取得して前記録画サーバに送信する手段を含み、前記録画サーバは、前記録画可能時間が前記録画番組時間未満であった場合は録画予約された番組を代行録画する手段と、代行録画した録画データを前記インターネット接続機に送信する手段とを含むことを特徴とする。
【０００８】
本発明の録画サービスシステムは、さらに、前記ネットワークに接続された携帯端末を備え、前記携帯端末は、前記録画予約情報を前記録画サーバから受信して表示する手段を含むことを特徴としてもよい。
【０００９】
本発明の録画サービスシステムは、携帯端末と、録画サーバと、インターネット接続機と、前記インターネット接続機に接続された録画機と、前記携帯端末と前記インターネット接続機と前記録画サーバとを接続するネットワークとを備え、前記携帯端末は、録画番組時間を含む録画予約情報を前記録画サーバに送信する手段を含み、前記インターネット接続機は、録画可能時間を含む録画媒体情報を前記録画機から取得して前記録画サーバに送信する手段を含み、前記録画サーバは、前記録画可能時間の送信を前記インターネット接続機に要求する手段と、前記録画可能時間が前記録画番組時間未満であった場合は録画予約された番組を代行録画する手段と、代行録画した録画データを前記インターネット接続機に送信する手段とを含むことを特徴としてもよい。
【００１０】
本発明の録画サービスシステムは、さらに、前記ネットワークに接続されたレンタルサーバを備え、前記携帯端末は、レンタルソフトのレンタル要求を前記レンタルサーバに送信する手段を含み、前記レンタルサーバは、要求されたレンタルソフトとこのレンタルソフトの録画時間とを前記録画サーバに送信する手段を含み、前記録画サーバは、前記録画可能時間が前記レンタルソフトの録画時間以上であった場合は前記レンタルソフトを前記インターネット接続機へ送信し前記録画可能時間が前記レンタルソフトの録画時間未満であった場合は前記レンタルソフトを代行録画する手段と、代行録画した録画データを前記インターネット接続機に送信する手段とを含むことを特徴としてもよい。
【００１１】
本発明の録画サービスシステムは、さらに、前記ネットワークに接続された放送局サーバを備え、前記放送局サーバは、番組放送時刻を含む番組表を前記録画サーバに配信する手段と、配信した番組放送時刻に変更が生じた場合に番組時刻変更通知を前記録画サーバに通知する手段とを含み、前記録画サーバは、前記番組変更通知をチェックして前記録画予約情報を修正する手段を含むことを特徴としてもよい。
【００１２】
本発明の録画サービス方法は、録画サーバと、インターネット接続機と、前記インターネット接続機に接続された録画機と、前記インターネット接続機と前記録画サーバとを接続するネットワークとを使用する録画サービス方法であって、前記インターネット接続機が録画可能時間を含む録画媒体情報と録画番組時間を含む録画予約情報とを前記録画機から取得して前記録画サーバに送信するステップと、前記録画サーバが前記録画可能時間が前記録画番組時間未満であった場合は録画予約された番組を代行録画するステップと、代行録画した録画データを前記録画サーバから前記インターネット接続機に送信するステップとを含むことを特徴とする。
【００１３】
本発明の録画サービス方法は、さらに、前記ネットワークに接続された携帯端末を使用し、前記携帯端末が前記録画予約情報を前記録画サーバから受信して表示するステップを含むことを特徴としてもよい。
【００１４】
本発明の録画サービス方法は、携帯端末と、録画サーバと、インターネット接続機と、前記インターネット接続機に接続された録画機と、前記携帯端末と前記インターネット接続機と前記録画サーバとを接続するネットワークとを使用する録画サービス方法であって、前記携帯端末が録画番組時間を含む録画予約情報を前記録画サーバに送信するステップと、前記録画サーバが前記録画機の録画可能時間の送信を前記インターネット接続機に要求するステップと、前記インターネット接続機が前記録画可能時間を含む録画媒体情報を前記録画機から取得して前記録画サーバに送信するステップと、前記録画可能時間が前記録画番組時間未満であった場合は録画予約された番組を前記録画サーバが代行録画するステップと、代行録画した録画データを前記録画サーバから前記インターネット接続機に送信するステップとを含むことを特徴としてもよい。
【００１５】
本発明の録画サービス方法は、さらに、前記ネットワークに接続されたレンタルサーバを使用し、レンタルソフトのレンタル要求を前記携帯端末から前記レンタルサーバに送信するステップと、要求されたレンタルソフトとこのレンタルソフトの録画時間とを前記レンタルサーバから前記録画サーバに送信するステップと、前記録画サーバが前記録画可能時間が前記レンタルソフトの録画時間以上であった場合は前記レンタルソフトを前記インターネット接続機へ送信し前記録画可能時間が前記レンタルソフトの録画時間未満であった場合は前記レンタルソフトを代行録画するステップと、代行録画した録画データを前記録画サーバから前記インターネット接続機に送信するステップとを含むことを特徴としてもよい。
【００１６】
本発明の録画サービス方法は、さらに、前記ネットワークに接続された放送局サーバを使用し、番組放送時刻を含む番組表を前記放送局サーバから前記録画サーバに配信するステップと、配信した番組放送時刻に変更が生じた場合に番組時刻変更通知を前記放送局サーバから前記録画サーバに通知するステップと、前記録画サーバが前記番組変更通知をチェックして前記録画予約情報を修正するステップとを含むことを特徴としてもよい。
【００１７】
本発明の録画サーバは、録画機に接続されたインターネット接続機にネットワークを介して接続された録画サーバであって、録画可能時間を含む録画媒体情報と録画番組時間を含む録画予約情報とを前記インターネット接続機を経由して前記録画機から取得する手段と、前記録画可能時間が前記録画番組時間未満であった場合は録画予約された番組を代行録画する手段と、代行録画した録画データを前記インターネット接続機に送信する手段とを含むことを特徴とする。
【００１８】
本発明の録画サーバは、さらに、前記ネットワークに接続された携帯端末から前記録画予約情報送信要求を受信する手段と、前記録画予約情報を前記携帯端末に送信する手段とを含むことを特徴としてもよい。
【００１９】
本発明の録画サーバは、インターネット接続機と携帯端末とにネットワークを介して接続された録画サーバであって、前記携帯端末から録画番組時間を含む録画予約情報を受信する手段と、前記インターネット接続機に接続された録画機の録画可能時間を含む録画媒体情報を前記インターネット接続機から受信する手段と、前記録画可能時間が前記録画番組時間未満であった場合は録画予約された番組を代行録画する手段と、代行録画した録画データを前記インターネット接続機に送信する手段とを含むことを特徴としてもよい。
【００２０】
本発明の録画サーバは、さらに、前記ネットワークを介してレンタルサーバに接続され、レンタルソフトのレンタル要求を前記携帯端末から受信する手段と、要求されたレンタルソフトとこのレンタルソフトの録画時間とを前記レンタルサーバから受信する手段と、前記録画可能時間が前記レンタルソフトの録画時間以上であった場合は前記レンタルソフトを前記インターネット接続機へ送信し前記録画可能時間が前記レンタルソフトの録画時間未満であった場合は前記レンタルソフトを代行録画する手段と、代行録画した録画データを前記インターネット接続機に送信する手段とを含むことを特徴としてもよい。
【００２１】
本発明の録画サーバは、さらに、前記ネットワークを介して放送局サーバに接続され、番組放送時刻を含む番組表の配信を前記放送局サーバから受ける手段と、配信された番組放送時刻に変更が生じた場合に番組時刻変更通知を前記放送局サーバから受信する手段と、前記番組時刻変更通知をチェックして前記録画予約情報を修正する手段とを含むことを特徴としてもよい。
【００２２】
本発明のプログラムは、請求項１１から１５のいずれか１項記載の機能をコンピュータに実現させる。
【００２３】
【発明の実施の形態】
次に、本発明の実施の形態について図面を参照して詳細に説明する。図１は本発明の第１の実施の形態の構成を示すブロック図である。
【００２４】
図１を参照すると、携帯端末１０とインターネット接続機２０と録画サーバ３０と放送局サーバ４０とがネットワークに接続されている。ネットワークとしてはインターネット１００を使用する例を説明する。
【００２５】
携帯端末１０はユーザ１が使用する携帯電話機やノートブック型パーソナルコンピュータ等の情報通信機器である。携帯端末１０は、図示しないが、データを入力するためのキーボード等の入力部とデータを表示するためのＬＣＤ（ｌｉｑｕｉｄｃｒｙｓｔａｌ  ｄｉｓｐｌａｙ）等の表示部とデータを一時記憶するための記憶部とを有し、さらに、録画サーバ３０とインターネット１００を介して情報の送受信を行う機能を有する。リモートコントロール機１１は、録画機２１に録画予約情報を赤外線等を使用して送信する機能を有する。
【００２６】
インターネット接続機２０は、ユーザ１がホーム（家庭）２で使用するパーソナルコンピュータ等の情報処理装置である。インターネット接続機２０は、図示しないが、データを入力するためのキーボードやマウス等の入力部とデータを表示するためのＣＲＴ（ｃａｔｈｏｄｅ−ｒａｙ  ｔｕｂｅ）ディスプレイやＬＣＤ（ｌｉｑｕｉｄ  ｃｒｙｓｔａｌ  ｄｉｓｐｌａｙ）等の表示部とデータを一時記憶するための記憶部とを有し、さらに、録画サーバ３０とインターネット１００を介して情報の送受信を行う機能と、録画機２１と情報の送受信を行う機能とを有する。インターネット接続機２０は汎用機でなく、録画サービス用の専用機であってもよい。
【００２７】
録画機２１はホーム２に設置された放送番組等の画像データを録画する装置である。録画機２１としてはビデオデッキが一般的であるが、ＤＶＤ（Ｄｉｇｉｔａｌ  Ｖｅｒｓａｔｉｌｅ  Ｄｉｓｃ）レコーダやハードディスクレコーダであってもよい。録画機２１は、情報送受信部２１０と制御部２２０と記憶部２３０と録画部２４０とを有する。録画部２４０は録画受信部２４１と録画媒体２４２とを有する。録画媒体２４２は、録画機２１がビデオデッキであればビデオテープであり、録画機２１がＤＶＤレコーダであればＤＶＤであり、録画機２１がハードディスクレコーダであればハードディスクである。
【００２８】
録画サーバ３０は、インターネット１００を使用して録画サービス３を運営する事業者が使用するワークステーション・サーバ等の情報処理装置である。録画サーバ３０は、情報送受信部３１０と番組表表示部３２０と録画予約情報表示部３３０と代行録画部３４０とを有する。代行録画部３４０は、ユーザ１の録画機２１に代わって代行録画を行うものであり、録画媒体２４２としてはハードディスクやＤＶＤ等が用いられる。代行録画部３４０は、録画サーバ３０の内部ではなく、外部にあってもよい。
【００２９】
放送局サーバ４０は、テレビ放送を行う放送局４が使用するワークステーション・サーバ等の情報処理装置である。放送局サーバ４０は、番組表配信部４１０と変更通知部４２０とを有する。番組表配信部４１０は放送局４が放送する予定の番組表をインターネット１００を介して配信する機能を有する。変更通知部４２０は、配信済みの番組表に記載された放送時間が変更されたときにその通知をインターネット１００を経由して配信する機能を有する。
【００３０】
次に第１の実施の形態の動作について説明する。図２は第１の実施の形態の動作を示すフローチャートである。ユーザ１はあらかじめ録画サービス３の会員登録手続きを行う。
【００３１】
ユーザ１は番組表を見るために携帯端末１０からインターネット１００を経由して録画サーバ３０にアクセスすると、録画サーバ３０では、番組表表示部３２０が情報送受信部３１０を使用して、放送局サーバ４０の番組表配信部４１０から配信された（ステップＡ１）番組表を携帯端末１０に転送する（ステップＡ２）。携帯端末１０は転送された番組表を表示部に表示する。表示される番組表には少なくとも番組名と放送されるチャンネルと放送開始日時と放送終了日時とが記載されている。さらにＧコードが含まれていてもよい。番組表の受信は携帯端末１０ではなくインターネット接続機２０で行ってもよい。また、録画サーバ３０経由ではなく放送局サーバ４０から直接受信してもよい。さらに、新聞や雑誌のテレビ番組欄等を使用することにより、ステップＡ１からステップＡ３は省略することもできる。
【００３２】
ユーザ１は録画予約をする場合、リモートコントロール機１１から録画予約情報を録画機２１の情報送受信部２１０に送信する（ステップＡ４）。録画予約情報には、録画するチャンネルと録画開始日および時刻と録画終了時刻とが含まれる。
【００３３】
録画機２１では、情報送受信部２１０が受信した録画予約情報を記憶部２３０に保存する。記憶部２３０は録画媒体情報も記憶している。録画媒体情報には録画媒体の録画可能時間を含む。録画可能時間とは、録画媒体２４２がビデオテープであればテープ残量を時間表示したものである。情報送受信部２１０は、録画予約情報と録画媒体情報とをインターネット接続機２０へ送信する（ステップＡ５）。インターネット接続機２０は受信した録画予約情報と録画媒体情報とをインターネット１００を介して録画サーバ３０へ転送する（ステップＡ６）。録画サーバ３０は転送された録画予約情報と録画媒体情報とを情報送受信部３１０が記憶する（ステップＡ７）。
【００３４】
ユーザ１は録画予約情報を確認したい場合は、携帯端末１０を使用してインターネット１００を介して録画サーバ３０にアクセスして録画予約情報送信要求を行う（ステップＡ８）。録画サーバ３０は録画予約情報表示部３３０が情報送受信部３１０を使用してユーザ１の録画予約情報を送信し（ステップＡ９）、ユーザ１は携帯端末１０の表示部で画像予約情報を確認することができる（ステップＡ１０）。画像予約情報の確認はインターネット接続機２０を使用して行うこともできる。
【００３５】
臨時番組や野球中継の延長等により、配信済みの番組表に変更が生じた場合は、放送局４では放送局サーバ４０の変更通知部４２０で番組時刻変更通知を配信する（ステップＡ１１）。録画サーバ３０は情報送受信部３１０で番組時刻変更通知を受信して、保存している録画予約情報をチェックして必要があれば録画予約情報を修正する（ステップＡ１２）。修正後の録画予約情報は、ステップＡ８からＡ１０の処理により、携帯端末１０またはインターネット接続機２０で確認することができる。
【００３６】
録画サーバ３０は情報送受信部３１０で録画予約情報に含まれる録画番組時間と録画媒体情報に含まれる録画可能時間とを比較し（ステップＡ１３）、録画可能時間が録画番組時間以上である場合は残量ＯＫをインターネット接続機２０に通知し、インターネット接続機２０は残量ＯＫを受信すると、録画機２１の情報送受信部２１０に録画指示を行う（ステップＡ１４）。録画機２１は情報送受信部２１０が録画指示を受信すると、制御部２２０が録画部２４０に録画を行わせる。録画部２４０では、録画受信部２４１が番組を受信し、録画媒体２４２に録画する（ステップＡ１５）。
【００３７】
ステップＡ１３で、録画可能時間が録画番組時間未満であった場合は、録画サーバ３０の情報送受信部３１０は録画予約された番組を代行録画部３４０で代行録画する（ステップＡ１６）。情報送受信部３１０は、さらに、インターネット接続機２０に録画媒体残量不足通知を行い（ステップＡ１７）、インターネット接続機２０はこれを受信して録画媒体残量不足を画面表示する（ステップＡ１８）。録画媒体残量不足の画面表示は携帯端末１０に行うようにしてもよい。
【００３８】
ユーザ１は、インターネット接続機２０に録画媒体残量不足表示された場合、録画機２１の録画媒体２４２を録画可能時間が録画番組時間以上であるものに交換して、インターネット接続機２０から録画サーバ３０に代行録画データ送信要求を行う（ステップＡ２０）。録画サーバ３０の情報送受信部３１０は代行録画データ送信要求を受信すると、代行録画データを代行録画部３４０から取り出してインターネット接続機２０へ送信する（ステップＡ２１）。インターネット接続機２０は代行録画データを受信して録画機２１へ転送する（ステップＡ２２）。録画機２１は代行録画データを情報送受信部２１０で受信し、制御部２２０で交換済み録画媒体２４２に録画する（ステップＡ２３）。
【００３９】
録画サーバ３０は、あらかじめ取り決めた方法により費用を算出してインターネット接続機２０または携帯端末１０に費用請求を送信し、ユーザ１はインターネット接続機２０または携帯端末１０を使用するか、あるいは他の方法で費用支払いを行う（ステップＡ２５）。費用算出方法としては、月極め定額、アクセス回数比、送受信データ量比等が考えられる。
【００４０】
次に、本発明の第２の実施の形態について説明する。第２の実施の形態の構成は基本的には第１の実施の形態（図１）と同じであるが、リモートコントロール機１１はなくてもよい。第２の実施の形態では携帯端末１０が録画予約情報を録画サーバ３０に送信する機能を有する点が第１の実施の形態と異なる。
【００４１】
次に、第２の実施の形態の動作を説明する。図３は第２の実施の形態の動作を示すフローチャートである。
【００４２】
ステップＢ１からステップＢ３までは第１の実施の形態（図２）のステップＡ１からステップＡ３までと同じである。
【００４３】
ユーザ１は録画予約をする場合、携帯端末１０から録画予約情報を録画機２１の情報送受信部２１０に送信する（ステップＢ４）。録画予約情報には、録画するチャンネルと録画開始日および時刻と録画終了時刻とが含まれる。録画サーバ３０の情報送受信部３１０は録画予約情報を受信して記憶する（ステップＢ５）。
【００４４】
録画サーバ３０の情報送受信部３１０は録画機２１の録画媒体情報の送信をインターネット接続機２０へ要求する（ステップＢ６）。インターネット接続機２０はこの要求を録画機２１へ転送する（ステップＢ７）。録画機２１の情報送受信部２１０は、この要求を受信すると記憶部２３０から録画媒体情報を入手してインターネット接続機２０へ送信する（ステップＢ８）。インターネット接続機２０は録画媒体情報を録画サーバ３０へ転送する（ステップＢ９）。録画サーバ３０は、情報送受信部３１０で録画媒体情報を受信して記憶する（ステップＢ１０）。
【００４５】
ステップＢ１１以降は第１の実施の形態（図２）のステップＡ１１以降と同じである。
【００４６】
次に、本発明の第３の実施の形態について説明する。図４は第３の実施の形態の構成を示すブロック図である。第１の実施の形態（図１）の構成の加えてレンタルサーバ５０が含まれる。レンタルサーバ５０は、インターネット１００を使用してレンタルショップ５を運営する事業者が使用するワークステーション・サーバ等の情報処理装置である。レンタルサーバ５０は、その内部または外部に記憶装置（図示せず）を有し、記憶装置内にレンタルソフト５１０を保管する。レンタルソフト５１０は動画コンテンツである。
【００４７】
次に、第３の実施の形態の動作を説明する。図５は第３の実施の形態の動作を示すフローチャートである。
【００４８】
ユーザ１はレンタルソフト５１０をレンタルする場合、携帯端末１０からレンタル要求を録画サーバ３０に送信する（ステップＣ１）。録画サーバ３０の情報送受信部３１０は、レンタル要求をレンタルサーバ５０に転送する（ステップＣ２）。レンタルサーバ５０は、要求されたレンタルソフト５１０の画像データとその録画時間とを録画サーバ３０に送信する（ステップＣ３）。ステップＣ１のレンタル要求は、インターネット接続機２０から行うようにしてもよい。
【００４９】
ステップＣ４からステップＣ８までは、第２の実施の形態（図３）のステップＢ６からステップＢ１０までと同じである。
【００５０】
録画サーバ３０の情報送受信部３１０は、録画媒体２４２の録画可能時間とレンタルソフト５１０の録画時間とを比較し（ステップＣ９）、録画可能時間が録画時間以上であった場合はレンタルソフト５１０の画像データをインターネット接続機２０へ送信する。インターネット接続機２０は録画機２１の情報送受信部２１０に画像データを送信する（ステップＣ１０）。録画機２１は情報送受信部２１０が画像データを受信すると、制御部２２０が録画部２４０に録画を行わせる（ステップＣ１１）。
【００５１】
ステップＣ９で、録画可能時間が録画時間未満であった場合は、ステップＣ１２からステップＣ１９の処理を行う。これは第１の実施の形態（図２）のステップＡ１６からステップＡ２３と同様である。
【００５２】
ユーザ１は、レンタル期間中はレンタルソフト５１０を録画機２１により再生することができる（ステップＣ２０）。レンタルソフト５１０はレンタル期間終了後は再生不可能となっている。
【００５３】
レンタルサーバ５０は、あらかじめ取り決めた方法によりインターネット接続機２０または携帯端末１０に費用請求を送信し（ステップＣ２１）、ユーザ１はインターネット接続機２０または携帯端末１０を使用するか、あるいは他の方法で費用支払いを行う（ステップＣ２２）。レンタル費用の請求は録画サーバ３０が代行するようにしてもよい。
【００５４】
本発明の実施の形態の録画サーバ３０の動作はコンピュータ・プログラム処理により行わせることが可能である。すなわち、記録媒体に記録したプログラムを録画サーバ３０に読み込ませるか、あるいは、ネットワークからコンピュータ・プログラムを録画サーバ３０に読み込ませて、実施の形態で説明した動作を実行させる。
【００５５】
【発明の効果】
以上説明したように、本発明によれば、録画媒体の録画可能時間が録画番組時間よりも少なかった場合、録画サーバが代行録画し、録画番組を録画機に送信するため、ユーザは録画媒体を入れ替えて番組全ての録画が可能となるという効果がある。
【００５６】
また、ユーザが外出先から携帯端末を利用して録画予約や録画予約情報の確認をすることができるという効果がある。
【００５７】
また、放送局からの番組時間変更を随時入手しているので、ユーザの録画予約した番組が急に時間変更になった場合、予約番組の変更時間に合わせ番組の録画ができるという効果がある。
【００５８】
また、インターネットを使用してレンタルソフトをレンタルする場合にも、録画媒体の録画可能時間が短い場合に代行録画できるという効果がある。
【図面の簡単な説明】
【図１】本発明の第１の実施の形態の構成を示すブロック図である。
【図２】本発明の第１の実施の形態の動作を示すフローチャートである。
【図３】本発明の第２の実施の形態の動作を示すフローチャートである。
【図４】本発明の第３の実施の形態の構成を示すブロック図である。
【図５】本発明の第３の実施の形態の動作を示すフローチャートである。
【図６】従来の録画システムの構成を示すブロック図である。
【符号の説明】
１    ユーザ
２    ホーム
３    録画サービス
４    放送局
５    レンタルショップ
１０    携帯端末
１１    リモートコントロール機
２０    インターネット接続機
２１    録画機
３０    録画サーバ
４０    放送局サーバ
５０    レンタルサーバ
１００    インターネット
２１０    情報送受信部
２２０    制御部
２３０    記憶部
２４０    録画部
２４１    録画受信部
２４２    録画媒体
３１０    情報送受信部
３２０    番組表表示部
３３０    録画予約情報表示部
３４０    代行録画部
４１０    番組表配信部
４２０    変更通知部
５１０    レンタルソフト
【図１】
2004179993.tif 000003
【図２】
2004179993.tif 000004
【図３】
2004179993.tif 000005
【図４】
2004179993.tif 000006
【図５】
2004179993.tif 000007
【図６】
2004179993.tif 000008